(57)【要約】直動型油圧式票決トリップブロックは、入口ポートと出口ポート間の３つの別々の通路を画成する。各通路はバルブシリンダと交叉する。各バルブシリンダ内の弁棒は作動位置で、３つの異なった流路のうち２つを遮断するように構成される。少なくとも弁棒の２つが、作動位置にあるかぎり入口ポートと出口ポートとの間の連通が妨げられ、したがって多数決ロジック油圧バルブシステムを提供する。
2010507046.tif 000002
【特許請求の範囲】
【請求項１】
３つのバルブシリンダを内蔵するバルブブロックと；
前記３つのバルブシリンダ内の３つの弁棒と；
前記３つの弁棒を非作動位置に付勢する３つのスプリングと；
非故障信号に応答して、前記弁棒を前記３つのスプリングの付勢に抗して作動位置に移動させる３つの電動のソレノイドアクチュエータとを備え；
前記バルブブロックは、入口ポートと出口ポート間に３つの別々の通路を画成し；
前記通路はそれぞれ前記３つのバルブシリンダと交差し；
前記弁棒はそれぞれ、前記作動位置で、前記３つの通路のうちの２つを遮断するように構成され、そして前記弁棒はそれぞれ、前記３つの通路のうちの異なる２つを遮断するように一意に構成され；
前記３つの弁棒のうちの少なくとも２つが前記作動位置にある限り、前記入口ポートと前記出口ポート間の連通が妨げられる；
直動型油圧式票決トリップブロック。
【請求項２】
それぞれが前記弁棒にそれぞれ関連付けられた３つの弁棒位置モニターを備え；
前記ソレノイドアクチュエータ毎に命令を与えて、前記ソレノイドアクチュエータを不活性化でき、さらに対応する前記弁棒位置モニターの応答を観察することにより、関連する前記ソレノイドアクチュエータ、前記弁棒および前記弁棒位置モニターが、前記入口ポートと前記出口ポート間の連通を許容しない正常な作動状態にあると判定できる；
請求項１の直動型油圧式票決トリップブロック。
【請求項３】
前記３つのバルブシリンダは平行で離間している軸線を有する；
請求項１の直動型油圧式票決トリップブロック。
【請求項４】
前記入口ポートと前記出口ポート間の前記３つの通路は、前記平行で離間する軸線を有する前記３つのバルブシリンダと交差する部分を有する；
請求項１または請求項３の直動型油圧式票決トリップブロック。
【請求項５】
前記３つのバルブシリンダの前記軸線と、前記入口ポートと前記出口ポート間の前記３つの通路は直交している；
請求項４の直動型油圧式票決トリップブロック。
【請求項６】
前記３つのスプリングおよび前記３つのソレノイドアクチュエータは、前記３つのバルブシリンダの互いに反対側の軸端部にある；
請求項１の直動型油圧式票決トリップブロック。
【請求項７】
前記３つのソレノイドアクチュエータは、前記バルブブロックの一方の面に並設されている；
請求項１の直動型油圧式票決トリップブロック。
【請求項８】
前記入口ポートは、通常加圧されている制御ポートと連通している；
請求項１の直動型油圧式票決トリップブロック。
【請求項９】
前記弁棒はそれぞれ、前記ソレノイドアクチュエータと前記スプリング間を軸方向に延び、前記作動位置にあるとき２つの通路を閉じる２つの拡径遮断部と、前記２つの拡径遮断部の近傍にあって前記２つの通路を開く２つの非遮断小径部と、前記作動位置でも前記非作動位置でも第３の通路を遮断しない第３の細長い非遮断部とを有する；
請求項１の直動型油圧式票決トリップブロック。
【請求項１０】
バルブシリンダの第１のセットと同一構成の、３つのバルブシリンダおよび関連付けられた弁棒と、ソレノイドアクチュエータと、スプリングとから成る少なくとも一つの追加のセットを有する；
請求項１の直動型油圧式票決トリップブロック。
【発明の詳細な説明】
【技術分野】
【０００１】
本発明は、蒸気タービンおよびその他用途向けの直動型油圧トリップブロックに関する。
【背景技術】
【０００２】
多数決切替（switching）ロジックが実装されて、制御流体をダンピングすることにより状況を監視し、急速閉止弁を駆動するための装置は、例えば米国特許第４，６３７，５８７号、発明の名称”システムの物理量を監視するための設備”から既知である。
【発明の概要】
【発明が解決しようとする課題】
【０００３】
本発明の目的は、多数決ロジック油圧バルブシステムを単体バルブブロックの形で提供することにある。
【課題を解決するための手段】
【０００４】
要約すると、本願発明によれば、３つのバルブシリンダを内蔵するバルブブロックと、バルブシリンダ内の３つの弁棒(valve piston)と、弁棒を非作動位置に付勢する３つのスプリングと、非故障信号に応答して、弁棒をスプリングの付勢に抗して作動位置に移動させる３つの電気ソレノイドアクチュエータとを備える直動型油圧式票決トリップブロックが提供される。バルブブロックは、入口ポートと出口ポート間に３つの別々の通路を画成する。通路はそれぞれ３つのバルブシリンダと交差する。弁棒はそれぞれ、作動位置で３つの通路のうちの２つを遮断するように構成される。よって、弁棒のうちの少なくとも２つが作動位置にある限り、入口ポートと出口ポート間の連通が妨げられる。
【０００５】
好ましい実施の形態によれば、票決（voting）トリップブロックには、３つの弁棒位置モニターが、各弁棒に、一つづつ関連付けて設けられている。したがって、ソレノイド毎に命令を与えて、これを不活性化できるので、対応する位置モニターの応答を観察することにより、関連するソレノイド、弁棒および位置モニターが、入口ポートと出口ポート間の連通を許容しない正常な作動状態にある、と判定できる。
【０００６】
好ましい実施の形態によれば、各弁棒はそれぞれ、ソレノイドアクチュエータと付勢するスプリング間を軸方向に延び、作動位置にあるとき２つの通路を閉じる２つの拡径遮断部と、遮断部近傍にあって２つの通路を開く２つの非遮断小径部と、作動位置でも非作動位置でも第３通路を遮断しない第３の細長い非遮断部とを有する。
【図面の簡単な説明】
【０００７】
【図１】直動型油圧式票決トリップブロックの断面図である。  更なる特徴ならびに他の目的および利点は、本発明による油圧式票決トリップブロックの一実施の形態の断面図を参照して、詳細な以下の説明により明らかになる。
【発明を実施するための形態】
【０００８】
図面を参照すると、直動型油圧式票決トリップブロックは、３つのバルブシリンダ１２、１４、１６を内蔵するバルブブロック１０を備える。３つの弁棒１８、２０、２２がバルブシリンダ内に配置されている。３つのスプリング２４、２６、２８が弁棒を非作動位置に付勢している。スプリングの付勢に抗して弁棒を作動位置に移動させる３つのソレノイドアクチュエータ３０、３２、３４が設けられている。典型的には、ソレノイドアクチュエータは、非故障状態を示す信号を受信すると弁棒を作動位置へ移動させる。バルブブロックは、入口ポート４２と出口ポート４４間に３つの別々の通路３６、３８、４０を画成する。各通路は３つのバルブシリンダと交差している。各弁棒は、その作動位置にあるとき３通路のうちの２通路を遮断するように構成されている。各弁棒は、３通路のうちの異なる２通路を閉止するよう構成されている。したがって、弁棒のうちの少なくとも２つがその作動位置にある限り、入口ポートと出口ポート間の連通が阻止される。入口ポートは通常加圧される制御ポートに通常連通している。
【０００９】
票決トリップブロックには、３つの弁棒位置モニター４６、４８、５０が設けられ、それぞれ、対応する弁棒に関連付けられている。したがって、ソレノイド毎に命令を与えて、これを不活性化できるので、対応する位置モニターの応答を観察することにより、関連するソレノイド、弁棒および位置モニターが、入口ポートと出口ポート間の連通を許容しない正常な作動状態にある、と判定できる。
【００１０】
図示のように、各弁棒１８、２０、２２は、ソレノイドアクチュエータと付勢するスプリング間を軸方向に延びている。各弁棒は、その作動位置にあるとき２つの通路を閉じる２つの拡径遮断部５２、５４と、遮断部近傍にあって前記２つの通路を開く２つの非遮断小径部５６、５８と、作動位置でも非作動位置でも第３通路を遮断しない第３の細長い非遮断部６０とを有する。
【００１１】
好ましい実施の形態の図面に示すように、３つのバルブシリンダは平行で離間している軸線を有する。入口ポートと出口ポート間の３つの通路は、平行で離間する軸線を持つバルブシリンダと交差する部分を有する。バルブシリンダの軸線と、入口ポートと出口ポート間の通路は直交している。付勢するスプリングおよびソレノイドは、バルブシリンダの互いに反対側の軸端部にある。ソレノイドは、バルブブロックの一方の面に並設されている。
【００１２】
特許法の定めに従って上記のように本発明を詳細かつ正確に定義し、特許証による保護を望む対象を以下の特許請求の範囲に述べる。
【図１】
2010507046.tif 000003
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
３つのバルブシリンダを内蔵するバルブブロックと；
前記３つのバルブシリンダ内の３つの弁棒と；
前記３つの弁棒を非作動位置に付勢する３つのスプリングと；
非故障信号に応答して、前記弁棒を前記３つのスプリングの付勢に抗して作動位置に移動させる３つの電動のソレノイドアクチュエータとを備え；
前記バルブブロックは、入口ポートと出口ポート間に３つの別々の通路を画成し；
前記通路はそれぞれ前記３つのバルブシリンダと交差し；
前記弁棒はそれぞれ、前記作動位置で、前記３つの通路のうちの２つを遮断するように構成され、そして前記弁棒はそれぞれ、前記３つの通路のうちの異なる２つを遮断するように一意に構成され；
前記３つの弁棒のうちの少なくとも２つが前記作動位置にある限り、前記入口ポートと前記出口ポート間の連通が妨げられる；
直動型油圧式票決トリップブロック。
【請求項２】
それぞれが前記弁棒にそれぞれ関連付けられた３つの弁棒位置モニターを備え；
前記ソレノイドアクチュエータ毎に命令を与えて、前記ソレノイドアクチュエータを不活性化でき、さらに対応する前記弁棒位置モニターの応答を観察することにより、関連する前記ソレノイドアクチュエータ、前記弁棒および前記弁棒位置モニターが、前記入口ポートと前記出口ポート間の連通を許容しない正常な作動状態にあると判定できる；
請求項１の直動型油圧式票決トリップブロック。
【請求項３】
前記３つのバルブシリンダは平行で離間している軸線を有する；
請求項１の直動型油圧式票決トリップブロック。
【請求項４】
前記入口ポートと前記出口ポート間の前記３つの通路は、前記平行で離間する軸線を有する前記３つのバルブシリンダと交差する部分を有する；
請求項１または請求項３の直動型油圧式票決トリップブロック。
【請求項５】
前記３つのバルブシリンダの前記軸線と、前記入口ポートと前記出口ポート間の前記３つの通路は直交している；
請求項４の直動型油圧式票決トリップブロック。
【請求項６】
前記３つのスプリングおよび前記３つのソレノイドアクチュエータは、前記３つのバルブシリンダの互いに反対側の軸端部にある；
請求項１の直動型油圧式票決トリップブロック。
【請求項７】
前記３つのソレノイドアクチュエータは、前記バルブブロックの一方の面に並設されている；
請求項１の直動型油圧式票決トリップブロック。
【請求項８】
前記入口ポートは、通常加圧されている制御ポートと連通している；
請求項１の直動型油圧式票決トリップブロック。
【請求項９】
前記弁棒はそれぞれ、前記ソレノイドアクチュエータと前記スプリング間を軸方向に延び、前記作動位置にあるとき２つの通路を閉じる２つの拡径遮断部と、前記２つの拡径遮断部の近傍にあって前記２つの通路を開く２つの非遮断小径部と、前記作動位置でも前記非作動位置でも第３の通路を遮断しない第３の細長い非遮断部とを有する；
請求項１の直動型油圧式票決トリップブロック。
【国際調査報告】
2010507046.tif 000004
2010507046.tif 000005
2010507046.tif 000006